(57)【要約】【目的】  従来の雪見障子に比較して、断熱性・安全性・防火性・耐久性・美観性・雪見障子としての機能の付与・小サイズへの対応性の向上が目的である。【構成】  カップル竪桟で補強した空気層を設けたプラスチックス仕切体を、覗き窓の上下に設定する枠組で構成して成る開閉覗き窓付き断熱引き戸【選択図】  図１
2006291634.tif 000002
【特許請求の範囲】
【請求項１】
四周に所定の嵌め殺し部分を具え、かつ空気層を設けたプラスチックス板体に所定間隔で結合支持具により、多数のカップル竪桟を両面に係止して成る平面強化の仕切体。
【請求項２】
四周に所定の嵌め殺し部分を具え、かつ空気層を設けたプラスチックス板体に所定間隔で結合支持具により、多数のカップル竪桟を両面に係止して成る平面強化の仕切体を、左右の竪枠間に設けた４本の横枠で仕切る上・中・下段の３空隙のうちの上・下段の空隙に嵌設し、かつ中段の空隙に透明板を嵌め殺すとともに引き違いの目隠扉を該透明板の側面でカバー可能に設けて成る窓付き断熱引き戸。
【請求項３】
四周に所定の嵌め殺し部分を具え、かつ空気層を設けたプラスチックス板体に所定間隔で結合支持具により、多数のカップル竪桟を両面に係止して成る平面強化の仕切体を、左右の竪枠間に設けた４本の横枠で仕切る上・中・下段の３空隙のうちの上・下段の空隙に嵌設し、かつ中段の空隙に透明板を嵌め殺すとともに透明板を隔てて引き違いの目隠扉を該透明部分の側面でカバー可能に設けて成る窓付き断熱引き戸。
【請求項４】
上段と下段の空隙を同一大に設けた請求項２又は３の何れかに記載の窓付き断熱引き戸。
【発明の詳細な説明】
【技術分野】
【０００１】
本発明は断熱引き戸用仕切体及び目隠戸を設けた窓付き断熱引き戸及びサイズ縮小可能な目隠戸を設けた窓付き断熱引き戸に関する。より詳細には、空気層を設けたプラスチック板体を貫通する結合支持具で両側のカップル竪桟の多数を固定した仕切体を上下に嵌め殺した引き戸の中間部に目隠戸を設けた窓付き断熱引き戸で、外枠サイズを所定サイズ以内で、縮小可能とする技術に関する。
【背景技術】
【０００２】
従来、引き戸は框の枠で枚数とサイズを一定に規定され、引き戸の仕切板体は引き戸の四周枠と一体に固定して構成される。該引き戸はその構成部材を分解してサイズを大きくすることは不可能であるし、小さくすることも一般的に極めて困難である。特に木枠の引き戸、例えば採光引き戸である障子に於いて、覗き窓付きの通称「雪見障子」を小さくするのは不可能である。又、私出願の下記特許文献１におけるカップル桟の引き戸と開き戸においては多数のカップル桟を外して寸法を切断し、かつ周囲の木枠も縮める必要性からサイズを小さく変えるのは無理であり、断熱性を維持したままで、外部を覗ける雪見障子的な窓構造の提案もなかった。
【特許文献１】特願２００３−２１５６５
【発明の開示】
【発明が解決しようとする課題】
【０００３】
本発明は外部を覗ける目隠戸を設けた窓部分の加工において、
（１）引き戸に目隠戸付きの覗き窓を設け、
（２）覗き窓の上・下・左・右のサイズを一定範囲で縮小可能とし、
（３）戸枠の竪・横幅も一定範囲で縮小可能とし、
（４）仕切体の破損時、新品との交換が容易な構造にし、
（５）両側から開閉可能の雪見障子としての機能を付与するのが課題である。
【課題を解決するための手段】
【０００４】
本発明の請求項１は四周に所定の嵌め殺し部分を具え、かつ空気層を設けたプラスチックス板体に所定間隔で結合具により、多数のカップル竪桟を両面に係止して成る平面強化の仕切体であり、
請求項２は四周に所定の嵌め殺し部分を具え、かつ空気層を設けたプラスチックス板体に所定間隔で結合支持具により、多数のカップル竪桟を両面に係止して成る平面強化の仕切体を、左右の竪枠間に設けた４本の横枠で仕切る上・中・下段の３空隙のうちの上・下段の空隙に嵌め殺し、かつ中段の空隙に透明板を嵌め殺すとともに目隠戸で該透明板の側面をカバー可能に設けて成る窓付き断熱引き戸である。
請求項３は四周に所定の嵌め殺し部分を具え、かつ空気層を設けたプラスチックス板体に所定間隔で結合支持具により、多数のカップル竪桟を両面に係止して成る平面強化の仕切体を、左右の竪枠間に設けた４本の横枠で仕切る上・中・下段の３空隙のうちの上・下段の空隙に嵌設し、かつ中段の空隙に透明板を嵌め殺すとともに透明板を隔てて引き違いの目隠戸を該透明部分の側面でカバー可能に設けて成る窓付き断熱引き戸であり、
請求項４は上段と下段の空隙を同一大に設けた請求項２または３の何れかに記載の窓付き断熱引き戸である。
該断熱引き戸の横枠は左右の竪枠の間に少なくとも４本の横枠を挟み、竪枠の外側から各横枠の左右端にビス止めされるので、ビスの着脱で組立てと解体ができる。又、竪枠の内側には嵌込溝があり、横枠の左右に設けた差込部分を内密に差込んで、前記のビス止めで一体に固定する。
【発明の効果】
【０００５】
本発明により、
（１）従来の雪見障子より横桟を少なくできるので塵の堆積部分が僅かになり、
（２）仕切体の高さが中間の覗き窓のために上下に分割する分だけ低くなり、プラスチックス板の両面の寒暖差による反りが僅かで平面状に維持しやすく開閉の不具合を防ぎ実用性が向上し、
（３）窓の高さを低くして竪枠を縮めると引き戸全体の高さを縮められるし、
（４）４段の横枠を短くし仕切体の横幅を狭くして引き戸の幅を縮めることも可能で、開口間口の不定に所定内の寸法において適応できる。
（５）仕切体が破損したとき、上側であれば最上部の横枠をビスを抜きスライドして外せば同一大の新品と交換できるし、下側であれば最下段の横枠を外せば同様に同一大新品と交換できるので保守が容易である。
（６）目隠戸が透明板を隔てて引き違いであれば、断熱引き戸の両側から開閉式の雪見障子としての機能を発揮するので、間取りの設計や断熱引き戸の框への嵌め込みの場合も向きの問題が生じない。
（７）上段と下段の空隙が同じ広さであれば、同一サイズの仕切体でよくなり、量産性と補修交換の便利さで市場性が大きくなる。
【発明を実施するための最良の形態】
【０００６】
本発明は仕切体としてプラスチックス板はポリプロピレンであれば障子紙より着火しにくく、丈夫で、変色がなく、燃焼時に有害ガスを発生せず、美しい半透明の素材で、かつ空気層を押し出し成形で形成でき、プラスチック段ボールとして製品化されているので最も好ましく、その平面の湾曲を防ぐ強化方法として、所定間隔で板体を貫通する結合支持具によりカップル竪桟を多数係止すると竪桟の強度の範囲で湾曲の程度を僅かにして実用性を付与できる。
木製の引き戸枠に関して、竪枠は空気層を設けたプラスチック板体例えば、ポリプロピレン製段ボールの嵌込溝を設け、該溝に４本の横枠の左右に設けた差込部を密に差し込んで竪枠の外側からビス固定するのが望ましい。該横枠の最上横枠は下面に最下横枠は上面に前記段ボールの嵌込溝を設けてある。残る２本の上窓横枠と下窓横枠にも前記段ボールの嵌込溝が設けてあり、該溝の反対側に透明板用の嵌殺溝が設けてあり、透明板は前記窓横枠の嵌殺溝と竪枠の嵌込溝とに嵌設されている。透明板の覗き窓は狭い幅であればガラスでもかまわないが、割れる危険性を避けるために透明樹脂板が望ましい。
目隠戸は嵌殺溝よりも浅く、該溝の両側に設けた戸溝を透明板に接して横にスライド自在で透明板の２分の１より横に長く、各１枚が透明板を隔てた引き違いが最も好ましい。断熱引き戸のどちら側からでも、開閉式の雪見障子としての機能が発揮できるからである。その素材は軽量の不透明板、例えば板目の細かい木板などが好ましい。実施例により詳述すると、
【実施例１】
【０００７】
図１より図６は本発明による窓付き断熱引き戸の１実施例であり、図１において左右の竪枠１２、２の間に上横枠３、下横枠４、上窓横枠５、下窓横枠６の各差込部１３を竪枠の嵌込溝１４に嵌め込んで竪枠の外側よりビスで固定してある。上横枠３と上窓横枠５の空隙には仕切体７が上下左右において、嵌込溝に嵌め込まれている。同様に下段の空隙にも仕切体１７が嵌まっている。中間の空隙には透明板１０が上下の窓横枠の嵌殺溝１６と左右の竪枠の嵌込溝１４に四周を嵌め殺してある。該透明板の両側には透明板の半分強の長さの目隠戸９が各一枚づつ該透明板に接して左右にスライド自在に透明板を隔てて引き違いで設けてある。該目隠戸９には丸いつまみ１１が要所に１個接着してあり、手指でスライド自在である。
【実施例２】
【０００８】
図７、８は本発明による覗き窓付き断熱引き戸の１例で、図７において、竪枠２、１２はビスを外して横枠から分離してある。破断線Ｅ−Ｅ’、Ｆ−Ｆ’で横枠を切断して斜線で示す差込部１３を４本の横枠の左右に切削加工できる。更に竪枠２、１２の下方を破断線Ｇ−Ｇ’で切断し、透明板を嵌め殺せる寸法に切断し、横枠のビス止め孔に合わせて穿孔し、ビス止めする。目隠戸９は断熱引き戸枠を完成してから所要の寸法に切断して嵌め込める。かかる手直し加工により、図７の断熱引き戸は図８の縮小したサイズに変わるが、破線１５は元の断熱引き戸の広さを示してある。
【産業上の利用可能性】
【０００９】
本発明は室外の様子を窓から覗き見できるので雪見障子として洒落ていて、透明板を合成樹脂にして幼児の打激や衝突にたいして安全性が大きく、プラスチックス板としてポリプロピレンを用いれば障子紙より着火性が小さくて防火性が大で、かつ仕切板体部分及び窓部分の断熱性は従来の障子やガラス引き戸より格段に向上し、引き戸のサイズの若干の縮小が可能なので、既存の間取りの框にある程度対応可能で適応性があり、大きいサイズで量産してストックしておき、簡単な縮小手直しで適格サイズに加工して即納しやすい。
【図面の簡単な説明】
【００１０】
図面は本発明による１実施例の縮小概略図で、
【図１】実施例１の正面図
【図２】図１中の断面Ａ−Ａ’
【図３】図１中の断面Ｂ−Ｂ’
【図４】図１中の断面Ｃ−Ｃ’
【図５】図１中の断面Ｄ−Ｄ’
【図６】カップル桟による仕切体
【図７】断熱引き戸の左右の竪枠をビスを外して分離した正面図で、
【図８】図７の切断線で縮小した断熱引き戸
【符号の説明】
【００１１】
１  窓付き断熱引き戸                  ２  竪枠
３  上横枠                            ４  下横枠
５  上窓横枠                          ６  下窓横枠
７  仕切板                            ８  上カップル桟
９  目隠戸                          １０  透明板
１１  つまみ                          １２  仕切体
１３  差込部                          １４  嵌込溝
１５  断熱引き戸の元のサイズの線      １６  嵌殺溝
１８  下カップル桟
【図１】
2006291634.tif 000003
【図２】
2006291634.tif 000004
【図３】
2006291634.tif 000005
【図４】
2006291634.tif 000006
【図５】
2006291634.tif 000007
【図６】
2006291634.tif 000008
【図７】
2006291634.tif 000009
【図８】
2006291634.tif 000010